(57)【特許請求の範囲】
【請求項１】
基礎部の上にコンクリートを打設して前記基礎部の上で形成された底版を吊り上げる又は持ち上げることにより前記基礎部から浮かせて所定位置に据え付ける工程と、
前記底版に側型枠を建て込む工程と、
前記側型枠内へコンクリートを打設して前記底版と一体に側壁を形成する工程と、
を有するエレベータピットの構築方法。
【請求項２】
前記底版は、前記基礎部の上に設置されたジャッキにより支持されて据え付けられる請求項１に記載のエレベータピットの構築方法。
【請求項３】
前記底版は、梁から吊り手段により吊下されて据え付けられ、前記吊り手段は、前記底版を吊下する高さを調整可能な高さ調整機構を備える請求項１に記載のエレベータピットの構築方法。
【発明の詳細な説明】
【技術分野】
【０００１】
本発明は、コンクリート製のエレベータピットの構築方法に関する。
【背景技術】
【０００２】
免震建物に備えられるエレベータにおいては、地震時の水平変形を吸収できるように、免震層上部の床スラブから吊り下げてエレベータピットが設けられている。例えば、特許文献１には、免震建物の支持ベースから底版を浮かせた状態にしてエレベータピットが設けられたエレベータピット構造が開示されている。
【０００３】
しかし、このようなエレベータピットをコンクリートによって形成する場合、多くの施工手間が掛かってしまう。例えば、エレベータピットの底版の下方に十分なスペースを設けることができない場合には、底型枠の設置作業の施工性が悪くなる。一方、エレベータピットの底版の下方に十分なスペースを設けようとすれば、エレベータピットの底版の下方にスペースを形成する施工を行わなければならない。
【先行技術文献】
【特許文献】
【０００４】
【特許文献１】特開平８−３３７３７２号公報
【発明の概要】
【発明が解決しようとする課題】
【０００５】
本発明は係る事実を考慮し、コンクリート製のエレベータピットの施工性を向上させることを課題とする。
【課題を解決するための手段】
【０００６】
第１態様の発明は、コンクリート製の底版を基礎部から浮かせて所定位置に据え付ける工程と、前記底版に側型枠を建て込む工程と、前記側型枠内へコンクリートを打設して前記底版と一体に側壁を形成する工程と、を有するエレベータピットの構築方法である。
【０００７】
第１態様の発明では、コンクリート製の底版を基礎部から浮かせて所定位置に据え付けることにより、エレベータピットを形成するための底型枠の設置手間を低減することができる。これにより、コンクリート製のエレベータピットの施工性を向上させることができる。
【０００８】
第２態様の発明は、第１態様のエレベータピットの構築方法において、前記底版は、前記基礎部の上に設置されたジャッキにより支持されて据え付けられる。
【０００９】
第２態様の発明では、重量物である底版をジャッキにより確実に支持することができる。また、梁等の躯体から底版を吊下できない場合においても、底版をジャッキにより支持して据え付けることができる。
【００１０】
第３態様の発明は、第１態様のエレベータピットの構築方法において、前記底版は、梁から吊り手段により吊下されて据え付けられ、前記吊り手段は、前記底版を吊下する高さを調整可能な高さ調整機構を備える。
【００１１】
第３態様の発明では、エレベータピットの底版下方のスペースが小さい場合においても、底版を吊下して据え付けることができる。また、高さ調整機構により、底版を所定の高さに水平に配置することができる。
【発明の効果】
【００１２】
本発明は上記構成としたので、コンクリート製のエレベータピットの施工性を向上させることができる。
【図面の簡単な説明】
【００１３】
【図１】本発明の第１実施形態に係るエレベータピットの構築方法を示す正面断面図である。
【図２】本発明の第２実施形態に係るエレベータピットの構築方法を示す正面断面図である。
【発明を実施するための形態】
【００１４】
図を参照しながら、本発明の実施形態を説明する。まず、本発明の第１実施形態に係るエレベータピットの構築方法について説明する。
【００１５】
図１（ａ）〜（ｄ）の正面断面図に示すように、第１実施形態のエレベータピットの構築方法では、底版製作準備工程、底版製作工程、底版据え付け工程、型枠建て込み工程、及びコンクリート打設工程をこの順に行って、エレベータピット１０の底部となる底版１２を免震建物１４の基礎部としての耐圧版１６から浮かせた状態にして、コンクリート製のエレベータピット１０を構築する。すなわち、本例のエレベータピット１０は、免震建物１４の基礎免震層１８上部から吊下するようにして基礎免震層１８に配置される。
【００１６】
まず、底版製作準備工程では、図１（ａ）に示すように、所定製作位置で底版１２が形成されるように、施工が完了した耐圧版１６上に墨出し（不図示）を行う。この所定製作位置とは、製作された底版１２を真上に移動させるだけで、構築されるエレベータピット１０の底部位置に据え付けることができる位置を意味する。
【００１７】
そして、この墨出し位置に基づいて、縁切りシートとなるビニールシート２０の耐圧版１６上への敷設、ビニールシート２０上への側型枠２２の設置、及びエレベータピット１０の底版１２と側壁２４（図１（ｄ）を参照のこと）の形成に必要な鉄筋（不図示）の配置を行う。
【００１８】
本例では、縁切りシートをビニールシート２０としたが、縁切りシートは、この縁切りシート上にコンクリートを打設する際に、このコンクリートと耐圧版１６上面との縁を切って底型枠となるものである。よって、縁切りシートは、このような役割りを果たせるものであればよい。例えば、縁切りシートを、他の材質のシートとしてもよいし、板状の部材としてもよい。
【００１９】
次に、底版製作工程では、図１（ｂ）に示すように、側型枠２２内へコンクリートＵを打設し硬化させて、耐圧版１６上で平板状の底版１２を形成する。また、このとき、吊り環２６を備える吊り上げ用アンカー２８をコンクリートＵ中に埋設させて取り付けておく。
【００２０】
次に、底版据え付け工程では、図１（ｃ）に示すように、クレーン（不図示）から吊り降ろされたワイヤーロープ３０を吊り上げ用アンカー２８の吊り環２６に掛けて、クレーンにより底版１２を真上に吊り上げる。そして、吊り上げた底版１２を、耐圧版１６上に設置されたジャッキ３２上に載置して、ジャッキ３２によって底版１２を支持する。これにより、耐圧版１６から浮かせて底版１２が所定位置としての所定配置位置（構築されるエレベータピット１０の底部の位置）に据え付けられる。
【００２１】
なお、底版１２は、予め高さ調整されたジャッキ３２の上に底版１２を載置して所定配置位置に据え付けてもよいし、ジャッキ３２の上に底版１２を載置した後にジャッキ３２の備える高さ調整機構によって高さ調整して所定配置位置に据え付けてもよいし、予め高さ調整されたジャッキ３２の上に底版１２を載置した後にジャッキ３２の備える高さ調整機構により高さの微調整を行って所定配置位置に据え付けてもよい。
【００２２】
次に、型枠建て込み工程では、図１（ｄ）に示すように、免震建物１４の１階の床梁３４、３６にデッキプレート３８を設置し、側型枠としての外型枠４０を底版１２に建て込んだ後に、側壁２４と床スラブ４２、４４の形成に必要な鉄筋の配置（不図示）を行い、内型枠４６を底版１２に建て込む。床梁３４、３６は、Ｈ形鋼により構成された躯体である。
【００２３】
次に、コンクリート打設工程では、図１（ｄ）に示すように、底版１２を底型枠にして、外型枠４０内（内型枠４６と外型枠４０の間）、及びデッキプレート３８上へコンクリートＵを打設し硬化させて、底版１２と一体に側壁２４を形成するとともに床スラブ４２、４４を形成する。そして、外型枠４０、及び内型枠４６を解体し、ジャッキ３２を撤去して、エレベータピット１０を構築する。
【００２４】
次に、本発明の第１実施形態に係るエレベータピットの構築方法の作用と効果について説明する。
【００２５】
第１実施形態のエレベータピットの構築方法では、図１（ｃ）に示すように、コンクリート製の底版１２を耐圧版１６から浮かせて所定配置位置に据え付けるので、エレベータピット１０を形成するための底型枠の設置手間を低減することができる。第１実施形態の例では、耐圧版１６上に敷設したビニールシート２０を底型枠とすることにより、簡単な方法で底型枠を設置することができる。これにより、コンクリート製のエレベータピット１０の施工性を向上させることができる。
【００２６】
コンクリート製のエレベータピットを従来の方法で構築する場合、エレベータピットの底版の下方に十分なスペースがないと底型枠の設置作業の施工性が悪くなってしまう。一方、エレベータピットの底版の下方に十分なスペースを施工によって形成しようとすれば、施工手間が掛かってしまう。これに対して第１実施形態のエレベータピットの構築方法では、コンクリート製の底版１２を耐圧版１６から浮かせて所定配置位置に据え付けることにより、底版１２の下方に十分なスペースがない場合においても、エレベータピット１０を形成するための底型枠の設置手間を低減することができる。
【００２７】
また、第１実施形態のエレベータピットの構築方法では、図１（ｄ）に示すように、１回のコンクリート打設でエレベータピット１０と床スラブ４２、４４を同時に形成することができるので、免震建物１４の生産性向上や工期短縮に寄与することができる。
【００２８】
さらに、第１実施形態のエレベータピットの構築方法では、重量物である底版１２をジャッキ３２により確実に支持することができる。また、梁等の躯体から底版１２を吊下できない場合においても、底版１２をジャッキ３２により支持して据え付けることができる。
【００２９】
次に、本発明の第２実施形態に係るエレベータピットの構築方法について説明する。本発明の第２実施形態の説明において、第１実施形態と同じ構成のものは、同符号を付すると共に、適宜省略して説明する。
【００３０】
図２（ａ）〜（ｄ）の正面断面図に示すように、第２実施形態のエレベータピットの構築方法では、底版製作準備工程、底版製作工程、底版据え付け工程、型枠建て込み工程、及びコンクリート打設工程をこの順に行って、エレベータピット１０の底部となる底版１２を免震建物１４の基礎部としての耐圧版１６から浮かせた状態にして、コンクリート製のエレベータピット１０を構築する。すなわち、本例のエレベータピット１０は、免震建物１４の基礎免震層１８上部から吊下するようにして基礎免震層１８に配置される。
【００３１】
まず、底版製作準備工程では、図２（ａ）に示すように、第１実施形態の底版製作準備工程と同様に、所定製作位置で底版１２が形成されるように耐圧版１６上に墨出し（不図示）を行い、この墨出し位置に基づいて、ビニールシート２０の敷設、側型枠２２の設置、及び底版１２と側壁２４を形成するための配筋を行う。
【００３２】
次に、底版製作工程では、図２（ｂ）に示すように、側型枠２２内へコンクリートＵを打設し硬化させて、耐圧版１６上で平板状の底版１２を形成する。また、このとき、吊り環２６を備える吊り上げ用アンカー２８と、吊り手段としての吊り支持用アンカー４８をコンクリートＵ中に埋設させて取り付けておく。吊り支持用アンカー４８は、床梁３４、３６から底版１２を吊下するための部材であり、吊り支持用アンカー４８を床梁３４、３６に固定するための固定部５０が上端部に設けられ、底版１２を吊下する高さを調整可能な高さ調整機構５２が中間部に設けられている。高さ調整機構５２としては、例えば、上方に設けられる上アンカー鉄筋の下端部と、下方に設けられる下アンカー鉄筋の上端部とにネジ接続されて、上アンカー鉄筋と下アンカー鉄筋を連結する継手部材とすることができる。
【００３３】
次に、底版据え付け工程では、図２（ｃ）に示すように、クレーン（不図示）から吊り降ろされたワイヤーロープ３０を吊り上げ用アンカー２８の吊り環２６に掛けて、クレーンにより底版１２を真上に吊り上げる。そして、床梁３４、３６に取り付けられたガセットプレート５４、５６に吊り支持用アンカー４８の固定部５０をボルト５８で固定して、吊り支持用アンカー４８により底版１２を吊り支持する。これにより、床梁３４、３６から吊り支持用アンカー４８により吊下し、耐圧版１６から浮かせて、底版１２が所定位置としての所定配置位置（構築されるエレベータピット１０の底部の位置）に据え付けられる。吊り支持用アンカー４８は、予め高さ調整機構５２により高さ調整された状態で、床梁３４、３６に取り付けられたガセットプレート５４、５６に固定される。
【００３４】
次に、型枠建て込み工程では、図２（ｄ）に示すように、第１実施形態の型枠建て込み工程と同様に、デッキプレート３８の設置、外型枠４０の建て込み、側壁２４と床スラブ４２、４４を形成するための配筋、及び内型枠４６の建て込みを行う。
【００３５】
次に、コンクリート打設工程では、図２（ｄ）に示すように、第１実施形態のコンクリート打設工程と同様に、底版１２を底型枠にして、外型枠４０内（内型枠４６と外型枠４０の間）、及びデッキプレート３８上へコンクリートＵを打設し硬化させて、底版１２と一体に側壁２４を形成するとともに床スラブ４２、４４を形成する。そして、外型枠４０、及び内型枠４６を解体して、エレベータピット１０を構築する。
【００３６】
次に、本発明の第２実施形態に係るエレベータピットの構築方法の作用と効果について説明する。
【００３７】
第２実施形態のエレベータピットの構築方法では、図２（ｃ）に示すように、コンクリート製の底版１２を耐圧版１６から浮かせて所定配置位置に据え付けるので、エレベータピット１０を形成するための底型枠の設置手間を低減することができる。第２実施形態の例では、耐圧版１６上に敷設したビニールシート２０を底型枠とすることにより、簡単な方法で底型枠を設置することができる。これにより、コンクリート製のエレベータピット１０の施工性を向上させることができる。
【００３８】
また、第２実施形態のエレベータピットの構築方法では、図２（ｄ）に示すように、１回のコンクリート打設でエレベータピット１０と床スラブ４２、４４を同時に施工することができるので、免震建物１４の生産性向上や工期短縮に寄与することができる。
【００３９】
さらに、第２実施形態のエレベータピットの構築方法では、吊り支持用アンカー４８により床梁３４、３６から底版１２を吊り支持することにより、エレベータピット１０の底版１２下方のスペースが小さく、底版１２を支持するためのジャッキ等をこのスペースに設置することができない場合においても、底版１２を吊下して据え付けることができる。また、高さ調整機構５２により、底版１２を所定の高さに水平に配置することができる。
【００４０】
以上、本発明の第１及び第２実施形態に係るエレベータピットの構築方法について説明した。
【００４１】
なお、第１及び第２実施形態では、図１及び図２に示すように、底版１２を現場内における耐圧版１６上で製作した例を示したが、底版１２を、工場等で製作したプレキャストコンクリート部材とし、工場等で製作した底版１２を現場へ搬入するようにしてもよい。このようにしても、エレベータピット１０を形成するための底型枠の設置手間を低減することができ、コンクリート製のエレベータピット１０の施工性を向上させることができる。
【００４２】
底版１２は、一般に大きな（例えば、縦４ｍ、横４ｍ、厚さ３００ｍｍ程度の大きさ）コンクリート構造物であり、重量も重いものであるので、移動距離を短くできるように耐圧版１６上で製作するのが好ましい。
【００４３】
また、第１及び第２実施形態では、クレーンによって底版１２を吊り上げて所定配置位置に移動した例を示したが、底版１２を他の方法で所定配置位置に移動してもよい。例えば、底版１２を、フォークリフト等により持ち上げて所定配置位置に移動してもよい。
【００４４】
さらに、第１及び第２実施形態では、床梁３４、３６をＨ形鋼により構成した例を示したが、鉄筋コンクリート造や鉄骨鉄筋コンクリート造等の他の構造の躯体であってもよい。第２実施形態では、底版１２が耐圧版１６上に設置されたジャッキ３２に支持されているので、床梁３４、３６を鉄筋コンクリート造にして、側壁２４、及び床スラブ４２、４４のコンクリート打設と、床梁３４、３６のコンクリート打設とを同時に行うことができる。
【００４５】
また、第１及び第２実施形態では、底版１２を平板状の部材とした例を示したが、底版１２を、有底筒状の部材としてもよい。
【００４６】
以上、本発明の第１及び第２実施形態について説明したが、本発明はこうした実施形態に何等限定されるものでなく、本発明の第１及び第２実施形態を組み合わせて用いてもよいし、本発明の要旨を逸脱しない範囲において、種々なる態様で実施し得ることは勿論である。
【符号の説明】
【００４７】
１２  底版
１６  耐圧版（基礎部）
２４  側壁
３２  ジャッキ
３４、３６  床梁（梁）
４０  外型枠（側型枠）
４８  吊り支持用アンカー（吊り手段）
５２  高さ調整機構
Ｕ  コンクリート
【図１】
0006418870.tif 000002
【図２】
0006418870.tif 000003